(57)【要約】      （修正有）【課題】  広視野角化が実現され、特に、液晶表示素子の表示面の法線を下方向に傾けた視角からの最適なコントラストの表示を可能とした液晶表示素子を提供する。【解決手段】視認側から、第１偏光板２、ねじれ光学補償層３（ツイスト角１７０〜１９０°、位相差値６９０〜７８０ｎｍ）、配向膜がそれぞれ配設された２枚の透明基板間に、ツイスト角２３０〜２５０°、位相差値７８０〜９２０ｎｍに設定された液晶層を有する液晶表示パネル１、第２偏光板５、およびバックライト６を順に配置した液晶表示素子。【選択図】      図３
2006071749.tif 000002
【特許請求の範囲】
【請求項１】
第１偏光板、ねじれ光学補償層、液晶表示パネルおよび第２偏光板が順に配置されてなり、前記液晶表示パネルは、配向膜がそれぞれ配設された２枚の透明基板間に、２３０〜２５０°のツイスト角で、位相差値（ΔｎＬＣ・ｄＬＣ）を７８０〜９２０ｎｍに設定された液晶層を有している液晶表示素子において、
前記ねじれ光学補償層は、ツイスト角が１７０〜１９０°、位相差値（ΔｎＦ１・ｄＦ１）が６９０〜７８０ｎｍとされており、
前記液晶表示パネルの第１偏光板に配置された配向膜の配向軸を基準とした際に、第１偏光板側からの反時計回りにおける、前記第１偏光板の吸収軸の軸角をθ１、ねじれ光学補償層の第２偏光板側の配向軸の軸角をθ２とした場合の前記θ１が２５〜６５°、前記θ２が７５〜１０５°とされており、
また、前記液晶表示パネルの第２偏光板側に配置された配向膜の配向軸を基準とした際に、第１偏光板側からの反時計回りにおける、前記第２偏光板の吸収軸の軸角をθ３とした場合の前記θ３が１１０〜１５５°とされていることを特徴とする液晶表示素子。
【請求項２】
第１偏光板、ねじれ光学補償層、液晶表示パネルおよび第２偏光板が順に配置されてなり、前記液晶表示パネルは、配向膜がそれぞれ配設された２枚の透明基板間に、２３０〜２５０°のツイスト角で、位相差値（ΔｎＬＣ・ｄＬＣ）を７８０〜９２０ｎｍに設定された液晶層を有している液晶表示素子において、
前記ねじれ光学補償層は、ツイスト角が１７０〜１９０°、位相差値（ΔｎＦ１・ｄＦ１）が６９０〜７８０ｎｍとされており、
前記液晶表示パネルの第１偏光板側に配置された配向膜の配向軸を基準とした際に、第１偏光板側からの反時計回りにおける、前記第１偏光板の吸収軸の軸角をθ１、ねじれ光学補償層の第２偏光板側の配向軸の軸角をθ２とした場合の前記θ１が１０〜４５°、前記θ２が７５〜１０５°とされており、
また、前記液晶表示パネルの第２偏光板側に配置された配向膜の配向軸を基準とした際に、第１偏光板側からの反時計回りにおける、前記第２偏光板の吸収軸の軸角をθ３とした場合の前記θ３が４０〜７５°とされていることを特徴とする液晶表示素子。
【請求項３】
前記ねじれ光学補償層が側鎖型液晶性高分子層からなる請求項１または２に記載の液晶表示素子。
【発明の詳細な説明】
【技術分野】
【０００１】
本発明は、液晶を利用したディスプレイに使用される液晶表示素子に係り、特に、液晶表示素子の正面からの視認のみならず、斜め下方からの視認に対し良好なコントラストを示すことのできる液晶表示素子に関する。
【背景技術】
【０００２】
従来より、背景の着色効果を複屈折効果の補償により解消するＤＳＴＮ（Double-layer Super Twisted Nematic）型液晶表示素子は、インスツルメントパネルやナビゲーションシステム等の各種の車載用機器のディスプレイに広く使用されている（例えば、特許文献１）。
【０００３】
そして、従来、車載用機器のディスプレイにおいては、例えば、携帯電話の表示画面等、他の用途に用いられる液晶表示素子と同様に、視認者の正面からの視認、つまり、該液晶表示素子の法線方向からの視認に対して、最も良好な表示を行なうようにコントラスト調整がなされた状態のＤＳＴＮ型液晶表示素子が搭載されていた。
【０００４】
ここで、例えば、前記車載用の機器のディスプレイのうち、スピードメータ、タコメータ、オドメータ、トリップメータなどを有するインスツルメントパネルはドライバー席の正面内に固定配置されている。その際、前記ＤＳＴＮ型液晶表示素子は、ドライバー席に座る視認者の目の高さ位置が前記インスツルメントパネルの斜め上方にあり、前記視認者が前記インスツルメントパネルのＤＳＴＮ型液晶表示素子を斜め上方から見下ろすようにして視認することを想定して、視認者の視角と該液晶表示素子の表示面の法線とが一致するように、前記ＤＳＴＮ型液晶表示素子を若干上向きに傾斜させた状態で配設されている。
【０００５】
このように液晶表示素子を傾斜させたインスツルメントパネルは、視認者としてのドライバーの目の高さ位置が設計時に想定した視認者の目の高さ位置と略同一となったときには、視認者の視角と該液晶表示素子の表示面の法線とが一致するため、前記インスツルメントパネルの各メータの表示を最も良好な表示品質で視認させることができるものとなる。
【０００６】
【特許文献１】特開２００３−３２２８４６号公報
【発明の開示】
【発明が解決しようとする課題】
【０００７】
しかしながら、実際には視認者としてのドライバーの目の高さ位置は区々である。よって、より多くの視認者に良好な表示品質で前記インスツルメントパネルの各メータの表示を視認させるため、前記インスツルメントパネルに用いられる液晶表示素子には、ドライバーの目の高さ位置に応じて、液晶表示素子の表示面の法線から上下方向に傾いた視角からの表示品位を良好にすることが要求される。
【０００８】
特に、前述したように前記液晶表示素子を上向きに傾斜させて配設した場合には、前記液晶表示素子をその表示面の法線を下方に傾けた視角から視認することが多くなるため、特に、この方向からの視角における視認性を良好にする必要がある。
【０００９】
このように、表示面の法線を下方に傾けた視角からの視認性を良好にするべく、コントラスト調整をすることは、前述の車載用の液晶表示素子に限って求められるものではない。例えば、駅や空港等の各種案内表示板やメッセージボードといった比較的大型の表示素子として、視認者が見上げる位置に配置されるような液晶表示素子にも同様のことが求められている。
【００１０】
そこで、本発明はこのような点に鑑み、広視野角化が実現され、特に、液晶表示素子の表示面の法線を下方に傾けた視角からの最適なコントラストの表示を可能とし、良好な視認性（高コントラスト）を示すことができる液晶表示素子を提供することを目的とする。
【課題を解決するための手段】
【００１１】
前述した目的を達成するため、本発明の液晶表示素子は、第１偏光板、ねじれ光学補償層、液晶表示パネルおよび第２偏光板が順に配置されてなり、前記液晶表示パネルは、配向膜がそれぞれ配設された２枚の透明基板間に、２３０〜２５０°のツイスト角で、位相差値（ΔｎＬＣ・ｄＬＣ）を７８０〜９２０ｎｍに設定された液晶層を有している液晶表示素子において、前記ねじれ光学補償層は、ツイスト角が１７０〜１９０°、位相差値（ΔｎＦ１・ｄＦ１）が６９０〜７８０ｎｍとされており、前記液晶表示パネルの第１偏光板側に配置された配向膜の配向軸を基準とした際に、第１偏光板側からの反時計回りにおける、前記第１偏光板の吸収軸の軸角をθ１、ねじれ光学補償層の第２偏光板側の配向軸の軸角をθ２とした場合の前記θ１が２５〜６５°、前記θ２が７５〜１０５°とされており、また、前記液晶表示パネルの第２偏光板側に配置された配向膜の配向軸を基準とした際に、第１偏光板側からの反時計回りにおける、前記第２偏光板の吸収軸の軸角をθ３とした場合の前記θ３が１１０〜１５５°とされていることを特徴とする。
【００１２】
また別の液晶表示素子は、第１偏光板、ねじれ光学補償層、液晶表示パネルおよび第２偏光板が順に配置されてなり、前記液晶表示パネルは、配向膜がそれぞれ配設された２枚の透明基板間に、２３０〜２５０°のツイスト角で、位相差値（ΔｎＬＣ・ｄＬＣ）を７８０〜９２０ｎｍに設定された液晶層を有している液晶表示素子において、前記ねじれ光学補償層は、ツイスト角が１７０〜１９０°、位相差値（ΔｎＦ１・ｄＦ１）が６９０〜７８０ｎｍとされており、前記液晶表示パネルの第１偏光板側に配置された配向膜の配向軸を基準とした際に、第１偏光板側からの反時計回りにおける、前記第１偏光板の吸収軸の軸角をθ１、ねじれ光学補償層の第２偏光板側の配向軸の軸角をθ２とした場合の前記θ１が１０〜４５°、前記θ２が７５〜１０５°とされており、また、前記液晶表示パネルの第２偏光板側に配置された配向膜の配向軸を基準とした際に、第１偏光板側からの反時計回りにおける、前記第２偏光板の吸収軸の軸角をθ３とした場合の前記θ３が４０〜７５°とされていることを特徴とする。
【００１３】
さらに、前記液晶表示素子は、いずれも、前記ねじれ光学補償層が側鎖型液晶性高分子層からなることを特徴とする。
【発明の効果】
【００１４】
このような構成を採用することにより、本発明の液晶表示素子においては、広視野角化を実現することができ、特に、液晶表示素子の表示面の法線を下方に傾けた視角からの最適なコントラストの表示を可能とし、良好な視認性を得ることができる。
【００１５】
また、側鎖型液晶性高分子層からなるねじれ光学補償層を用いることにより、高温環境下における表示においても、良好な視認性を得ることができる。
【発明を実施するための最良の形態】
【００１６】
図１には、本発明の実施形態としての液晶表示素子の積層構成を示す。
【００１７】
本実施形態の液晶表示素子は液晶表示パネル１を有しており、その液晶表示パネル１の上方（視認側）には、楕円偏光板４が配設されている。また、前記液晶表示パネル１の下面（反視認側）には視認側から第２偏光板５およびバックライト６が配置されている。
【００１８】
ここで、前記液晶表示パネル１は、間隔を隔ててほぼ平行に配置された２枚のガラスのような材質からなる透明基板（図示せず）を有しており、これらの両透明基板の外周は周辺シール材（図示せず）により密閉されている。
【００１９】
このうち、上方に位置する一方の透明基板の下方には、透明共通電極（図示せず）が密着するように配設されており、また、この透明共通電極の下方には、電極間に印加される電圧に応じて液晶分子の配向を制御する配向膜（図示せず）が密着するように配設されている。
【００２０】
また、下方に位置する他方の透明基板の上方には透明セグメント電極（図示せず）が配設され、その上方に配向膜（図示せず）が密着するように配設されている。
【００２１】
そして、前記両透明基板は各配向膜を対向させて貼り合わされており、当該両透明基板と前記周辺シール材により囲繞された密閉空間部には、ツイスト角が２３０〜２５０°、その位相差値（ΔｎＬＣ・ｄＬＣ）が７８０〜９２０ｎｍ、好ましくは８００〜９００ｎｍに設定された液晶が封入され、液晶層（図示せず）とされている。
【００２２】
また、前記楕円偏光板４は、視認側から第１偏光板２およびねじれ光学補償層３が積層されて構成されている。このうち、前記第１偏光板２は、光の振動方向を規制する役割を果たすものである。また、前記ねじれ光学補償層３は、液晶層を通過するときに生じる干渉色を補償するものである。
【００２３】
前記ねじれ光学補償層３は、図２に示すように、液晶性高分子層１１により構成されており、前記液晶性高分子層１１は、ＴＡＣ（トリアセチルセルロース）などの等方性透明フィルム１２上に積層して形成されている。なお、この液晶性高分子層１１を保護する役割を果たす透明ハードコート層（図示せず）を積層形成することも可能である。
【００２４】
ここで、第１偏光板２および第２偏光板５は光の振動方向を規制するためのものであり、ねじれ光学補償層３は光が液晶層を通過するときに生じる干渉色を補償するためのものである。前記ねじれ光学補償層３としては、例えば、液晶性高分子層からなる位相差板、あるいは液晶パネルなどの液晶層を用いることができる。このねじれ光学補償層３に必要とされる基本特性は、液晶ディスプレイの電気光学特性に合わせた位相差値（ΔｎＦ１・ｄＦ１）を有することである。ここにおけるΔｎは縦方向と横方向の屈折率の差である複屈折量であり、また、ｄはねじれ光学補償層３の膜厚である。
【００２５】
次に、各光学系の軸配置について説明する。
【００２６】
[ポジ型液晶表示素子]
まず、ポジ型液晶表示素子の場合の各光学系の軸配置を図３乃至図５を用いて説明する。
【００２７】
図３の（ａ）は、前記第１偏光板２の吸収軸、（ｂ）はねじれ光学補償層３の第１偏光板が配置された側である視認側および第２偏光板が配置された側である反視認側の配向軸、（ｃ）は液晶表示パネル１の視認側および反視認側の配向膜の配向軸、（ｄ）は第２偏光板の吸収軸を示している。
【００２８】
そして、本実施形態におけるポジ型液晶表示素子は、前記液晶表示パネル１の視認側に配置された配向膜の配向軸を基準とした際に、視認側からの反時計回りにおける、前記第１偏光板２の吸収軸の軸角をθ１、ねじれ光学補償層３の反視認側の配向軸の軸角をθ２とした場合、前記θ１は２５〜６５°、前記θ２は７５〜１０５°とされている（図４参照）。また、前記液晶表示パネル１の反視認側に配置された配向膜の配向軸を基準とした際に、視認側からの反時計回りにおける、前記第２偏光板５の吸収軸の軸角をθ３とした場合の前記θ３は１１０〜１５５°とされている（図５参照）。
【００２９】
そして、前記ねじれ光学補償層３は、前記液晶表示パネル１のツイスト角方向と逆方向のねじれで、液晶性高分子層からなるツイスト角は１７０〜１９０°、位相差値（ΔｎＦ１・ｄＦ１）は６９０〜７８０ｎｍとされている。
【００３０】
［ネガ型液晶表示素子］
次に、ネガ型液晶表示素子の場合の各光学系の軸配置を図６乃至図８を用いて説明する。
【００３１】
図６の（ａ）は、前記第１偏光板２の吸収軸、（ｂ）はねじれ光学補償層３の第１偏光板が配置された側である視認側および第２偏光板が配置された側である反視認側の配向軸、（ｃ）は液晶表示パネル１の視認側および反視認側の配向膜の配向軸、（ｄ）は第２偏光板の吸収軸を示している。
【００３２】
そして、本実施形態におけるネガ型液晶表示素子は、前記液晶表示パネル１の視認側に配置された配向膜の配向軸を基準とした際に、視認側からの反時計回りにおける、前記第１偏光板２の吸収軸の軸角をθ１、ねじれ光学補償層３の反視認側の配向軸の軸角をθ２とした場合、前記θ１は１０〜４５°、前記θ２は７５〜１０５°とされている（図７参照）。また、前記液晶表示パネル１の反視認側に配置された配向膜の配向軸を基準とした際に、視認側からの反時計回りにおける、前記第２偏光板５の吸収軸の軸角をθ３とした場合の前記θ３は４０〜７５°とされている（図８参照）。
【００３３】
そして、前記ねじれ光学補償層３は、前記液晶表示パネル１のツイスト角方向と逆方向のねじれで、液晶性高分子層からなるツイスト角は１７０〜１９０°、位相差値（ΔｎＦ１・ｄＦ１）は６９０〜７８０ｎｍとされている。
【００３４】
なお、本実施形態の液晶表示素子においては、前記偏光板の吸収軸は偏光軸であってもよい。また、液晶性高分子層１１は、主鎖型液晶性高分子を含むもの（以下、主鎖型液晶性高分子層という）と、側鎖型液晶性高分子を含むもの（以下、側鎖型液晶性高分子層という）があり、主鎖型液晶性高分子層は位相差値の温度依存性がなく、側鎖型液晶性高分子層は位相差値の温度依存性がある（図９参照）。本実施形態においては、いずれの液晶性高分子層であっても使用可能であるが、特に、高温側での視認性が要求される場合には、位相差値の温度依存性のある側鎖型液晶性高分子層からなる位相差板を用いることが望ましい。
【００３５】
以下には、前述した本実施形態の液晶表示素子の具体的な２つの実施例と、１つの比較例を用いて説明する。
【００３６】
［実施例１］
実施例１は、前述した本実施形態におけるポジ型液晶表示素子の一例である。
【００３７】
実施例１の液晶表示素子において、前記液晶は、２４０°の左ツイスト角を有し、相転移温度Ｔｃが１０５℃、位相差値（ΔｎＬＣ・ｄＬＣ）が８３０ｎｍとなるように調整し、前述のθ１〜θ３については、θ１＝５０°、θ２＝９０°、θ３＝１４０°とした。
【００３８】
また、ねじれ光学補償層３は側鎖型液晶性高分子からなり、１７８°の右ねじれで、相転移温度Ｔｃが１０５℃、ガラス転移温度Ｔｇが２５℃、位相差値（ΔｎＦ１・ｄＦ１）を７１５ｎｍとする位相差板（ポラテクノ社製Twistar）を用いた。なお、ねじれ光学補償３の温度依存性は８５℃／３０℃で０．８３である。
【００３９】
本実施例１の液晶表示素子を、１／６５Dutyの条件によって駆動させたところ、電圧オフ時には白色表示、電圧オン時には黒色表示のポジ表示を行なうことができ、良好な視認性が得られた。
【００４０】
［比較例］
本比較例における液晶表示素子は、前記実施例１の液晶表示素子におけるねじれ光学補償層を、ポリカーボネートなどの高分子フィルムを一軸延伸して形成した光学補償層と交換した構成とされている点のみが、前記実施例１に用いた本実施形態の液晶表示素子の積層構造と異なるものである。なお、前記光学補償層３’は温度によって位相差値を異ならせない、つまり、位相差値に関して温度依存性がないという特性を有する。
【００４１】
本比較例の液晶表示素子における各光学系の軸配置について説明すると、図１０の（ａ）は、前記第１偏光板２の吸収軸、（ｂ）は光学補償層３’の延伸軸、（ｃ）は液晶表示パネル１の視認側および反視認側の配向膜の配向軸、（ｄ）は第２偏光板の吸収軸を示している。そして、本比較例においては、前記液晶表示パネル１の視認側に配置された配向膜の配向軸を基準とした際に、視認側からの反時計回りにおける、前記第１偏光板２の吸収軸の軸角をθ１、光学補償層３’の延伸軸の軸角をθ２とし（図１１参照）、前記液晶表示パネル１の反視認側に配置された配向膜の配向軸を基準とした際に、視認側からの反時計回りにおける、前記第２偏光板５の吸収軸の軸角をθ３とする（図１２参照）。
【００４２】
そして、本比較例の液晶表示素子においては、前記液晶は、２４０°の左ツイスト角を有し、転移温度Ｔｃが１０５℃、位相差値（ΔｎＬＣ・ｄＬＣ）が８３０ｎｍとなるように調整し、前述のθ１〜θ３については、θ１＝５０°、θ２＝９０°、θ３＝４５°とした。
【００４３】
また、光学補償層３’として、位相差値（ΔｎＦ１・ｄＦ１）を５８５ｎｍとするポリカーボネート系の延伸フィルムを用いた。
【００４４】
本比較例の液晶表示素子を、１／６５Dutyの条件によって駆動させたところ、電圧オフ時には白色表示、電圧オン時には黒色表示のポジ表示を行なった。
【００４５】
［実施例１と比較例の対比］
図１３には、前記実施例１の液晶表示素子のコントラストの視野角依存性（図中、網掛け部分）を示しており、図１４には、前記比較例の液晶表示素子のコントラストの視野角依存性（図中、網掛け部分）を示している。また、図１３および図１４中、同心円とされ、１０°間隔で０〜５０°まで示された円状のラインは、液晶表示素子の表示面の法線からの傾き角（θ）を示しており、同図の中心点から放射線状に延在し、同図を１２分割するラインは、液晶表示装置の表示面の３時方向を０°と仮定した場合における反時計回りの角度（φ）を示している（図１５において、同じ）。
【００４６】
前記実施例１と比較例の結果を比較すると、本実施例１の液晶表示素子は、２５℃の透過時における正面方向（φ＝０）のコントラスト比は、実施例１が５．８、比較例が５．２と、略同等であったのに対し、透過時における背景色の角度による色変化が小さくなって改善され、視野角も広くなった。
【００４７】
具体的には、φ＝１８０〜２９０°の視角領域におけるコントラスト比に大きな差が生じている。例えば、φ＝２４０°付近において良好なコントラスト比を得ることができる範囲が、比較例では θ＝０〜３０°の範囲に限られるのに対し、実施例１ではθ０〜５０°の広範囲となっている。また、θ＝４０°の場合に、比較例においてはφ＝６０°の付近、およびそれに対向するφ＝２４０°の付近で必要なコントラスト比が得られないのに対し、実施例１においては、全周方向において必要なコントラスト比を得ることができている。
【００４８】
さらに、液晶表示素子の斜め下方からの視認性は、例えば、φ＝２７０°、θ＝３５°の視角においては、比較例では必要なコントラスト比が得られないのに対し、実施例１では十分なコントラスト比を得ることができている。
【００４９】
このように、本実施例１の液晶表示素子は、広視野角化を実現することができ、特に、液晶表示素子の表示面の法線を下方に傾けた視角からの最適なコントラストの表示を可能とし、良好な表示の視認性を得ることができるものとなった。
【００５０】
なお、実施例１においては、側鎖型液晶性高分子からなるねじれ光学補償層３を用いているので、表１に示すように、オフ時の透過率変化も小さく、高温側においても良好な視認性を得ることができた。具体的には、比較例においては２５℃の透過率に対する８０℃の透過率は約５５％減となっており、その変化が大きいのに対し、実施例１においては、２５℃の透過率に対する８０℃の透過率は約９％減であり、その変化は格段に小さくなった。
【００５１】
表１：オフ時透過率
25℃           60℃         80℃      
実施例１         29.7％         26.4％        27.1％
比較例           33.0％         24.8％        14.4％
【００５２】
［実施例２］
実施例２は、前述した本実施形態におけるネガ型液晶表示素子の一例である。  実施例２の液晶表示素子においては、前記液晶は、２４０°の左ツイスト角を有し、相転移温度Ｔｃが１０５℃、位相差値（ΔｎＬＣ・ｄＬＣ）が８３０ｎｍとなるように調整し、前述のθ１〜θ３については、θ１＝３０°、θ２＝９０°、θ３＝６０°とした。
【００５３】
また、ねじれ光学補償層３は側鎖型液晶性高分子からなり、１７８°の右ねじれで、相転移温度Ｔｃが１０５℃、ガラス転移温度Ｔｇが２５℃、位相差値（ΔｎＦ１・ｄＦ１）を７１５ｎｍとする位相差板（ポラテクノ社製Twistar）を用いた。なお、なお、ねじれ光学補償層３の温度依存性は８５℃／３０℃で０．８３である。
【００５４】
本実施例２の液晶表示素子を、１／６５Dutyの条件によって駆動させたところ、電圧オフ時には白色表示、電圧オン時には黒色表示のネガ表示を行なうことができ、良好な視認性が得られた。
【００５５】
図１５には、前記実施例２の液晶表示素子のコントラストの視野角依存性（図中、網掛け部分）を示している。
【００５６】
本実施例２の液晶表示素子によれば、広視野角を得ることができ、上下左右のコントラスト比のバランスも頗る改善されたものとなった。
【００５７】
このように、本実施例２の液晶表示素子は、広視野角化を実現することができ、特に、液晶表示素子の表示面の法線を下方に傾けた視角からの最適なコントラストの表示を可能とし、良好な表示の視認性を得ることができるものとなった。
【００５８】
また、側鎖型液晶性高分子層からなる位相差板を用いた液晶表示装置は、高温側において良好な視認性を得ることができた。
【００５９】
なお、実施例２においても、側鎖型液晶性高分子からなるねじれ光学補償層３を用いているので、高温側においても、良好な視認性を得ることができた。なお、表２には、実施例２の液晶表示素子における、２５℃、６０℃、および８０℃の正面方向（φ＝０）のコントラスト比を示す。
【００６０】
表２：コントラスト比
25℃          60℃          80℃      
実施例２           70             46            28
【００６１】
なお、本発明は、前述した実施形態および実施例に限定されるものではなく、必要に応じて種々の変更が可能である。例えば、前記第２偏光板は、カラー偏光板や半透過板付き偏光板を用いてもよい。また、カラーフィルタ層を液晶表示パネルの内側または外側に配設してもよい。さらに、本実施形態においては、視認側から、第１偏光板、ねじれ光学補償層、液晶表示パネル、第２偏光板を順に配置したが、反視認側から上記の順で配設してもよい。
【図面の簡単な説明】
【００６２】
【図１】本実施形態の液晶表示素子の積層構成を示す縦分解断面図
【図２】本実施形態の液晶表示素子におけるねじれ光学補償層の積層構成を示す縦分解断面図
【図３】本実施形態のポジ型液晶表示素子の（ａ）第１偏光板の吸収軸、（ｂ）ねじれ光学補償層の視認側および反視認側の配向軸、（ｃ）液晶表示パネルの視認側および反視認側の配向膜の配向軸、（ｄ）第２偏光板の吸収軸を示す図
【図４】図３の本実施形態のポジ型液晶表示素子を構成する液晶表示パネルの視認側に配置される配向膜の配向軸を基準として求められるθ１およびθ２の説明図
【図５】図３の本実施形態のポジ型液晶表示素子を構成する液晶表示パネルの反視認側に配置される配向膜の配向軸を基準として求められるθ３の説明図
【図６】本実施形態のネガ型液晶表示素子の（ａ）第１偏光板の吸収軸、（ｂ）ねじれ光学補償層の視認側および反視認側の配向軸、（ｃ）液晶表示パネルの視認側および反視認側の配向膜の配向軸、（ｄ）第２偏光板の吸収軸を示す図
【図７】図６の本実施形態のネガ型液晶表示素子を構成する液晶表示パネルの視認側に配置される配向膜の配向軸を基準として求められるθ１およびθ２の説明図
【図８】図６の本実施形態のネガ型液晶表示素子を構成する液晶表示パネルの反視認側に配置される配向膜の配向軸を基準として求められるθ３の説明図
【図９】液晶と側鎖型液晶性高分子からなるねじれ光学補償層の位相差値と温度の関係を示すグラフ
【図１０】比較例の液晶表示素子の（ａ）第１偏光板の吸収軸、（ｂ）光学補償層の視認側および反視認側の配向軸、（ｃ）液晶表示パネルの視認側および反視認側の配向膜の配向軸、（ｄ）第２偏光板の吸収軸を示す図
【図１１】図１０の比較例の液晶表示素子を構成する液晶表示パネルの視認側に配置される配向膜の配向軸を基準として求められるθ１およびθ２の説明図
【図１２】図１０の比較例の液晶表示素子を構成する液晶表示パネルの反視認側に配置される配向膜の配向軸を基準として求められるθ３の説明図
【図１３】実施例１の液晶表示素子のコントラストの視野角依存性を示す図
【図１４】比較例の液晶表示素子のコントラストの視野角依存性を示す図
【図１５】実施例２の液晶表示素子のコントラストの視野角依存性を示す図
【符号の説明】
【００６３】
１  液晶表示パネル
２  第１偏光板
３  ねじれ光学補償層
３’光学補償層
４  楕円偏光板
５  第２偏光板
６  バックライト
１１  液晶性高分子層
１２  透明フィルム
【図１】
2006071749.tif 000003
【図２】
2006071749.tif 000004
【図３】
2006071749.tif 000005
【図４】
2006071749.tif 000006
【図５】
2006071749.tif 000007
【図６】
2006071749.tif 000008
【図７】
2006071749.tif 000009
【図８】
2006071749.tif 000010
【図９】
2006071749.tif 000011
【図１０】
2006071749.tif 000012
【図１１】
2006071749.tif 000013
【図１２】
2006071749.tif 000014
【図１３】
2006071749.tif 000015
【図１４】
2006071749.tif 000016
【図１５】
2006071749.tif 000017